(57)【要約】【課題】傘布、親骨およびシャフト部を空気膜で構成し、空気入れ付きの手元を設けたフィルムバルーン傘を提供する。【解決手段】  フィルム素材により、丸型もしくは多角形のバルーン部材上部（３）と、シャフト取付口（８）が設けられたフィルム素材による丸型もしくは多角形のバルーン部材下部（４）を、親骨（６）を形成する部分を残し傘布型に接着し、空気の出入り口となる空気口（２）が設けられたバルーン部材シャフト部（５）をシャフト取付口（８）に接着し一体の空気膜を形成し、形成したバルーンに空気入れを設けたフィルムバルーン傘である。【選択図】図１
2012217818.tif 000002
【特許請求の範囲】
【請求項１】
フィルム素材による丸型もしくは多角形のバルーン部材上部（３）と、シャフト取付口（８）が設けられたフィルム素材による丸型もしくは多角形のバルーン部材下部（４）を、親骨（６）を形成する部分を残し傘布型に接着し、空気の出入り口となる空気口（２）が設けられたバルーン部材シャフト部（５）をシャフト取付口（８）に接着し、一体の空気膜が形成されたバルーンに、バルーン内部へ空気を入れる機能を有するポンプをバルーンに設けた事を特徴とするフィルムバルーン傘。
【請求項２】
フィルム素材による丸型もしくは多角形のバルーン部材上部（３）と、シャフト取付口（８）が設けられたフィルム素材による丸型もしくは多角形のバルーン部材下部（４）を、親骨（６）を形成する部分を残し傘布型に接着し、空気の出入り口となる空気口（２）が設けられたバルーン部材シャフト部（５）をシャフト取付口（８）に接着し、バルーン部材シャフト部（５）に設けられた空気口（２）に空気を挿入する管を接続した空気入れ機能付き手元（９）をバルーン部材シャフト部（５）に設けた事を特徴とするフィルムバルーン傘。
【請求項３】
少なくとも親骨とシャフト部を一体の空気膜で構成される様にフィルム素材を貼り合わせたバルーンに空気入出機能がついた硬質の手元をシャフト部に設けた事を特徴とするフィルムバルーン傘。
【請求項４】
空気膜で構成されたバルーン傘に、空気入れが着脱可能で硬質な空気入れ取り付け元を設けた事を特徴とするフィルムバルーン傘。
【請求項５】
空気の出入機能を設けた空気入れ取り付け元（１２）に空気放出調整部（１３）を設けた空気入れ着脱部（１６）に、バルーン部材シャフト部（５）および空気口（２）を取り付け、空気入れ着脱部（１６）に空気入れを着脱可能にした事を特徴とするフィルムバルーン傘。
【発明の詳細な説明】
【技術分野】
【０００１】  本発明は、空気で膨らむフィルムバルーン（薄いアルミ蒸着フィルムや、その他のフィルム）を使用した金属の親骨がない傘に関するものである。
【背景技術】
【０００２】  従来一般的に普及している傘は、親骨等に金属が使用されており、構造上親骨の先端や石突部は尖っていてたいへん危険なものであった。そのために事故が多発している現状であった。【０００３】  また、特にコンパクトに携帯できる折り畳み傘は構造が複雑で生産しづらく、使用時にも強風で折れやすく、すぐに使用不可能な状態になるものであった【０００４】  そのような背景から、近年、親骨に金属を使わない傘として、風船でできた傘を開発しようする試みが、種々されてきた。【０００５】  公知の技術としては、例えば、シャフト部を含まない、空気を注入するとヒトデ状の風船の傘を形成する（特許文献１）や、円形状のプラスチックフィルムシートを重ね合わせて円形状の親骨を形成する（特許文献２）などがある。
【先行技術文献】
【特許文献】
【０００６】
【特許文献１】  特開  ２０１０−９４３１７号広報
【特許文献２】  特開  平７−２０４０１９広報
【発明の概要】
【発明が解決しようとする課題】
【０００７】  従来の空気膜構造の傘開発の技術思想は、シャフト部を含まない、傘布と親骨の部分を空気膜構造にすることだけを重要視して、傘布と親骨の部分及びシャフト部、手元を考慮に入れた傘、また、実際に利用者が空気を入れる過程を意識した構造、突風に耐えられるシャフトとの一体観など、全体としての利用できるところまで考慮に入れたものは無い。【０００８】  それにより、これまでに公表されてきた空気膜構造の傘は実用的ではないために、人間工学の面から追求した、より理想的な新規な空気膜構造の傘の出現が強く望まれていた。
【課題を解決するための手段】
【０００９】  本発明者は、上記課題も解決し、傘布と親骨の部分及びシャフト部をフィルムバルーンで形成し利用シーンを考慮に入れた実用可能な構造を提供する発明に到達した【００１０】  本発明の請求項１はフィルム素材による丸型もしくは多角形のバルーン部材上部（３）と、シャフト取付口（８）が設けられたフィルム素材による丸型もしくは多角形のバルーン部材下部（４）を、親骨（６）を形成する部分を残し傘布型に接着し、空気の出入り口となる空気口（２）が設けられたバルーン部材シャフト部（５）をシャフト取付口（８）に接着し、一体の空気膜が形成されたバルーンに、バルーン内部へ空気を入れる機能を有するポンプをバルーンに設けた事を特徴とするフィルムバルーン傘である。【００１１】  本発明の請求項２はフィルム素材による丸型もしくは多角形のバルーン部材上部（３）と、シャフト取付口（８）が設けられたフィルム素材による丸型もしくは多角形のバルーン部材下部（４）を、親骨（６）を形成する部分を残し傘布型に接着し、空気の出入り口となる空気口（２）が設けられたバルーン部材シャフト部（５）をシャフト取付口（８）に接着し、バルーン部材シャフト部（５）に設けられた空気口（２）に空気を挿入する管を接続した空気入れ機能付き手元（９）をバルーン部材シャフト部（５）に設けた事を特徴とするフィルムバルーン傘である。【００１２】  本発明の請求項３は少なくとも親骨とシャフト部を一体の空気膜で構成される様にフィルム素材を貼り合わせたバルーンに空気入出機能がついた硬質の手元をシャフト部に設けた事を特徴とするフィルムバルーン傘である。【００１３】  本発明の請求項４は空気膜で構成されたバルーン傘に、空気入れが着脱可能で硬質な空気入れ取り付け元を設けた事を特徴とするフィルムバルーン傘である。【００１４】  本発明の請求項５は空気の出入機能を設けた空気入れ取り付け元（１２）に空気放出調整部（１３）を設けた空気入れ着脱部（１６）に、バルーン部材シャフト部（５）および空気口（２）を取り付け、空気入れ着脱部（１６）に空気入れを着脱可能にした事を特徴とするフィルムバルーン傘である。【００１５】  本発明によれば、空気膜で構成されたバルーン傘に利用時に便利な空気入れを設けた安全で強固な傘を提供する。【００１６】  特に、空気を注入するとヒトデ状の風船の傘を形成する（特許文献１）との違いは、特許文献１ではシャフトまでを考慮にいれた発明になっていない、そのため、別で形成されたシャフト部を傘布に溶接しても、十分な強度がある傘にはなりえない、傘布、親骨およびシャフトが一体の空気膜になっている必要がある。また、一体の空気膜になっていない状態では空気を入れる口が複数必要になる、実際の利用シーンでは複数の口に空気をいれるのは創造以上に手間がかかり実用的ではない。【００１７】  他方、空気入れをバルーン傘に設けること、および、空気入れをバルーン傘に設けることで利便性が増すこと、および空気入れを手元と両用することで無駄な構造（空間）を持たないこと、空気入れを着脱可能にする空気入れ着脱部（１６）を設けること、また、手元部分はバルーンではなくある程度の硬質な部材が使いやすいことは、当業者といえども容易に導き出すことができない。
【発明の効果】
【００１８】  金属の骨が採用されている従来の傘にある危険性がなく安全である。
また、フィルムバルーンで構成されるために安価に生産することが可能である。
上記特性上、娯楽施設やイベント等、混雑が予想される場所での雨天時の利用に適しており、
フィルムバルーンに娯楽施設情報やイベント広告を印刷することにより広告にすることも可能である。
【図面の簡単な説明】
【００１９】
【図１】本発明バルーン傘の実施形態を示す正面平面図である。
【図２】本発明バルーン傘の実施形態を示すバルーン部の正面断面図である。
【図３】本発明バルーン傘の実施形態を示すバルーン部材上部の上面平面図である。
【図４】本発明バルーン傘の実施形態を示すバルーン部材下部の上面平面図である。
【図５】本発明バルーン傘の実施形態を示すバルーン部材シャフト部の展開図である。
【図６】本発明バルーン傘の実施形態を示すバルーン部材シャフト部の立面図である。
【図７】本発明バルーン傘の実施形態を示す全体構造を示す立面図である。
【図８】本発明バルーン傘の実施形態を示す空気入れ部構造を示す分解立面図である。
【図９】本発明バルーン傘の実施形態を示す空気入れ部構造を示す立面図である。（空気を抜く状態）
【図１０】本発明バルーン傘の実施形態を示す空気入れ部構造を示す立面図である。（空気を止める状態）
【発明を実施するための形態】
【００２０】  本発明の実施の形態を実施例に基づき、図面を参照にして説明する。
【実施例１】
【００２１】  一般的にアルミバルーンやフィルムバルーンと呼ばれる風船に使われているフィルム（薄いアルミ蒸着フィルムや、その他のフィルム。以下、フィルムという）を図３の様に円形に切断されたバルーン部材上部（３）と、同じく図３の様にフィルムを円形に切断され中心部にバルーン部材シャフト部（５）を設けるシャフト取付口（８）が切り抜かれたバルーン部材下部（４）を傘布型（開いた一般の傘の様な半球型）に張り合わせ傘布を形成する、その際、バルーン部材上部（３）とバルーン部材下部（４）の点線内の部分は互いに接着させない。（この空間が後に空気を入れた際に親骨（６）を形成する）【００２２】  次いで、バルーン部材シャフト部（５）を、張り合わせるとシャフト形を形成するように複数の切断されたフィルムで形成する。その下部先端には、空気を入れる空気口（２）を設ける。（図５：複数の切断されたフィルムの形状例、図６：切断されたフィルムでバルーン部材シャフト部（５）を形成している図）【００２３】  次いで、バルーン部材上部（３）と一体となったバルーン部材下部（４）のシャフト取付口（８）にバルーン部材シャフト部（５）の円形になった上端を接着し、バルーン部（１）を形成する。【００２４】  空気口（２）より空気を入れることにより、接着しなかった、バルーン部材上部（３）とバルーン部材下部（４）の点線内の部分と、バルーン部材シャフト部（５）内部が風船のように膨らみ図２の様に、膨らんだバルーン部（１）が形成される。同時に、バルーン部材上部（３）とバルーン部材下部（４）の点線内の部分は十分な強度がある親骨（６）となり、バルーン部材シャフト部（５）はシャフトとして十分な強度になる。シャフトはそのまま手元としても利用できる。【００２５】  また、傘布と親骨にシャフト部が同じフィルムで接合されているため、その接合部の強度も十分に確保する事ができ強風に耐えられる構造になる。【００２６】  さらに、バルーン部（１）に空気を出し入れすることが可能なプラスチック素材等のポンプ式空気入れ機能が付いた手元（９）をバルーン部材シャフト部（５）の下方に接続する。手元（９）に内蔵されている細長いストロー状の管をバルーン部材シャフト部（５）に設けられた空気口（２）に挿入されている状態になる。【００２７】  空気入れ機能が付いた手元（９）は空気入れハンドル（１０）を上下することによりバルーン部（１）に空気が送出される、空気の逆流防止弁が内蔵されているため空気送出後、手元（９）をそのまま傘の手元として利用する。【００２８】  空気を抜く際はストロー状の管を空気口（２）より内部奥まで挿入し手元（９）を空気払出に切り替え空気を抜くことができる。【００２９】  また、空気入れハンドル（１０）下部には人間の口から息を吹き込むことで空気を送出することが可能な口も設けられており、空気吹き方向（１１）より息を吹き込むと空気を送出可能で、手元（９）を空気払出に切り替え逆に空気を吸い込むと空気を抜くことができる。（図７）
【実施例２】
【００３０】  請求項４、請求項５の実施例は実施例１で生成したバルーン部（１）に、着脱可能な空気入れを取り付け、空気入れの有無によらず傘として使用できるものである。
空気入れ取り付け元（１２）に、空気の抜け口となる空気穴と、空気を入れる空気挿入部（１７）が設けられている。空気挿入部（１７）に空気口（２）を接着し、バルーン部材シャフト部（５）は空気入れ取り付け元（１２）の外周に接着する。【００３１】  次いで、空気の抜け口となる空気穴と、空気が通る空気挿入筒、及び空気入れを取り付ける穴が設けられている空気放出調整部（１３）を空気入れ取り付け元（１２）と中心部で合体させる。（図８）【００３２】  これで、空気放出調整部（１３）を空気が通る空気挿入筒を中心に空気放出調整回転方向（１５）の様に回転させ、空気入れ取り付け元（１２）と空気放出調整部（１３）の設けられた空気穴がずれると空気が止っている状態（図１０）で、空気穴が合わさると空気放出の流れ（１４）の様に空気が抜ける状態になる（図９）。【００３３】  空気放出調整部（１３）の空気入れを取り付ける穴に空気入れを取り付けることができ空気をいれることが可能になる。
空気入れ着脱部（１６）を設けたバルーン部（１）はバルーン部材シャフト部（５）を手元として利用できる、さらに、空気入れを付けたまま、空気入れを手元として利用することができる。
【産業上の利用可能性】
【００３４】  本発明のフィルムバルーン傘は、傘布と親骨、シャフトが接着された同フィルム内の同じ空気膜で構成されているため、十分に膨らませた状態では、フィルムバルーンの特性上、バルーンとは思えない想像以上に硬い物体が形成される。【００３５】  一体になっているため、一見弱そうに見える親骨とシャフトの接合部分が強風でも揺らぐことのない傘になる。【００３６】  また、バルーン部材シャフト部（５）の下部先端をプラスチック等でできた手元（９）に十分に挿入することによりシャフトと手元の接合部も強固なものになり、利用しやすいものになる。【００３７】  また、空気入れを着脱可能にしたことで、さらに携帯する利便性も増し便利になる。
【符号と説明】
【００３８】１    バルーン部
２    空気口
３    バルーン部材上部
４    バルーン部材下部
５    バルーン部材シャフト部
６    親骨
７    小間
８    シャフト取付口
９    手元
１０  空気入れハンドル
１１  空気吹き方向
１２  空気入れ取り付け元
１３  空気放出調整部
１４  空気放出の流れ
１５  空気放出調整回転方向
１６  空気入れ着脱部
１７  空気挿入部
【図１】
2012217818.tif 000003
【図２】
2012217818.tif 000004
【図３】
2012217818.tif 000005
【図４】
2012217818.tif 000006
【図５】
2012217818.tif 000007
【図６】
2012217818.tif 000008
【図７】
2012217818.tif 000009
【図８】
2012217818.tif 000010
【図９】
2012217818.tif 000011
【図１０】
2012217818.tif 000012